(57)【要約】【課題】ユーザーが意図せずに印刷処理に時間がかかる給紙トレイを選択してしまうことを防ぐ。【解決手段】画像形成システムの備える画像形成装置は、給紙トレイから搬送される用紙に関する物理量を、当該用紙の搬送中に検知する用紙センサーと、検知された物理量に基づいて、用紙の種類を判別するための判別処理を実施する第１の制御装置とを備える。画像形成システムの備える端末装置は、第２の制御装置と表示装置とを備える。第２の制御装置は、複数の用紙トレイから給紙トレイを選択する給紙トレイ選択画面を表示装置に表示させ、前記給紙トレイ選択画面において、用紙トレイ内の用紙について判別処理が実施されたか否かの履歴情報を表示させる。【選択図】図５
2019117525.tif 000002
【特許請求の範囲】
【請求項１】
画像形成装置と、
前記画像形成装置と通信可能な端末装置とを備え、
前記画像形成装置は、
用紙を格納する複数の用紙トレイと、
前記複数の用紙トレイから選択された一の用紙トレイである給紙トレイから搬送される用紙に関する物理量を、当該用紙の搬送中に検知する用紙センサーと、
記憶装置と、
第１の制御部とを含み、
前記第１の制御部は、
前記用紙センサーにより検知された前記物理量に基づいて、前記用紙の種類を判別する判別処理を実施し、
前記判別処理を実施する場合に、前記判別処理を実施しない場合よりも、前記用紙の搬送速度を低下させ、
前記記憶装置は、前記複数の用紙トレイのそれぞれに対応付けて、当該用紙トレイ内の用紙について前記判別処理が実施済みか未実施かについての履歴情報を格納し、
前記端末装置は、
第２の制御部と、
表示装置とを備え、
前記第２の制御部は、
前記複数の用紙トレイから前記給紙トレイを選択する給紙トレイ選択画面を前記表示装置に表示させ、
前記給紙トレイ選択画面において、前記履歴情報を表示させる、画像形成システム。
【請求項２】
前記端末装置には、前記画像形成装置に画像形成処理を指示するためのプリンタドライバがインストールされており、
前記プリンタドライバが提供するユーザーインターフェイスは、前記給紙トレイ選択画面を含む、請求項１に記載の画像形成システム。
【請求項３】
前記端末装置には、ウェブブラウザがインストールされており、
前記ウェブブラウザは、前記給紙トレイ選択画面を表示する、請求項１に記載の画像形成システム。
【請求項４】
前記端末装置には、前記画像形成装置を遠隔操作するためのリモートアプリケーションがインストールされており、
前記リモートアプリケーションが提供するユーザーインターフェイスは、前記給紙トレイ選択画面を含む、請求項１に記載の画像形成システム。
【請求項５】
前記第２の制御部は、
前記判別処理が未実施の用紙トレイが前記給紙トレイとして選択された場合、前記画像形成装置の画像形成処理にかかる時間が長くなることを示す警告を、前記表示装置に表示させる、請求項１〜４のいずれか１項に記載の画像形成システム。
【請求項６】
前記第１の制御部は、前記判別処理が実施済みの用紙トレイが前記給紙トレイとして選択された場合、当該給紙トレイから搬送される用紙について前記判別処理を実施しない、請求項１〜５のいずれか１項に記載の画像形成システム。
【請求項７】
前記第１の制御部は、
前記用紙トレイが開閉された場合に、開閉された前記用紙トレイについての前記履歴情報をリセットする、請求項１〜６のいずれか１項に記載の画像形成システム。
【請求項８】
前記第１の制御部は、
前記用紙トレイが開閉された場合に、開閉された用紙トレイについて前記履歴情報をリセットするか否かの選択を受け付ける、請求項１〜６のいずれか１項に記載の画像形成システム。
【請求項９】
前記記憶装置は、前記複数の用紙トレイのそれぞれに対応付けて、当該用紙トレイ内の用紙に関する１つ以上の設定値をさらに格納し、
前記第２の制御部は、前記用紙に関する設定値を変更するための設定値変更画面を、前記表示装置に、表示させ、
前記設定値変更画面は、前記複数の用紙トレイの少なくとも一部の用紙トレイについての用紙トレイ情報と、当該用紙トレイについての前記履歴情報とをさらに含む、請求項１〜８のいずれか１項に記載の画像形成システム。
【請求項１０】
前記設定値は、前記用紙トレイ内の用紙の種類を含み、
前記第１の制御部は、前記設定値である用紙の種類に基づいて、前記用紙トレイ内の用紙に対する画像形成処理に関するパラメーターを決定する、請求項９に記載の画像形成システム。
【請求項１１】
前記第２の制御部は、前記判別処理が実施済みの用紙トレイについて、前記設定値変更画面において前記用紙の種類が変更された場合、前記変更の前後におけるいずれの用紙の種類に基づいて前記画像形成処理に関するパラメーターを決定するかについての選択を受け付ける、請求項１０に記載の画像形成システム。
【請求項１２】
前記第２の制御部は、前記判別処理が実施済みの用紙トレイについて、前記設定値変更画面において前記用紙の種類が変更された場合、前記変更の後の用紙の種類に基づいて画像形成処理に関するパラメーターを決定するように、前記画像形成装置に制御指示を出力する、請求項１０に記載の画像形成システム。
【請求項１３】
前記端末装置は、前記給紙トレイから搬送される用紙について、前記判別処理を実施するか否かの選択を受付可能に構成されている、請求項９〜１２のいずれか１項に記載の画像形成システム。
【請求項１４】
前記記憶装置は、前記判別処理を実施するか否かについて選択された選択結果を、前記画像形成装置に登録されているログインＩＤ（Identification）ごとに記憶する、請求項１３に記載の画像形成システム。
【請求項１５】
前記第２の制御部は、前記判別処理を実施するか否かについて選択された選択結果を、前記給紙トレイ選択画面にさらに表示させる、請求項１３または１４に記載の画像形成システム。
【請求項１６】
前記第２の制御部は、前記判別処理を実施するか否かについて選択された選択結果を、前記設定値変更画面にさらに表示させる、請求項１３〜１５のいずれか１項に記載の画像形成システム。
【請求項１７】
用紙を格納する複数の用紙トレイと、
前記複数の用紙トレイから選択された一の用紙トレイである給紙トレイから搬送される用紙に関する物理量を、当該用紙の搬送中に検知する用紙センサーと、
記憶装置と、
表示装置と、
制御部とを含み、
前記制御部は、
前記用紙センサーにより検知された前記物理量に基づいて、前記用紙の種類を判別する判別処理を実施し、
前記判別処理を実施する場合に、前記判別処理を実施しない場合よりも、前記用紙の搬送速度を低下させ、
前記記憶装置は、前記複数の用紙トレイのそれぞれに対応付けて、当該用紙トレイ内の用紙について前記判別処理が実施済みか未実施かについての履歴情報を格納し、
前記制御部は、さらに、
前記複数の用紙トレイから前記給紙トレイを選択する給紙トレイ選択画面を前記表示装置に表示させ、
前記給紙トレイ選択画面において、前記履歴情報を表示させる、画像形成装置。
【請求項１８】
前記表示装置は、前記画像形成装置への画像形成処理の指示を受け付けるための操作パネルであり、
前記制御部は、前記操作パネルに前記給紙トレイ選択画面を表示させる、請求項１７に記載の画像形成装置。
【請求項１９】
画像形成装置を含む画像形成システムの制御方法であって、
前記画像形成装置は、用紙を格納する複数の用紙トレイを備え、
前記制御方法は、
前記複数の用紙トレイから選択された一の用紙トレイである給紙トレイから搬送される用紙に関する物理量を、当該用紙の搬送中に検知するステップと、
検知された前記物理量に基づいて、前記用紙の種類を判別する判別処理を実施するステップと、
前記判別処理を実施する場合に、前記判別処理を実施しない場合よりも、前記用紙の搬送速度を低下させるステップと、
前記複数の用紙トレイのそれぞれに対応付けて、当該用紙トレイ内の用紙について前記判別処理が実施済みか未実施かについての履歴情報を、前記画像形成システムに格納するステップと、
前記複数の用紙トレイから前記給紙トレイを選択する給紙トレイ選択画面を表示するステップとを含み、前記給紙トレイ選択画面は前記履歴情報を含む、制御方法。
【請求項２０】
画像形成装置の制御方法であって、
前記画像形成装置は、用紙を格納する複数の用紙トレイを備え、
前記制御方法は、
前記複数の用紙トレイから選択された一の用紙トレイである給紙トレイから搬送される用紙に関する物理量を、当該用紙の搬送中に検知するステップと、
検知された前記物理量に基づいて、前記用紙の種類を判別する判別処理を実施するステップと、
前記判別処理を実施する場合に、前記判別処理を実施しない場合よりも、前記用紙の搬送速度を低下させるステップと、
前記複数の用紙トレイのそれぞれに対応付けて、当該用紙トレイ内の用紙について前記判別処理が実施済みか未実施かについての履歴情報を、前記画像形成装置に格納するステップと、
前記複数の用紙トレイから前記給紙トレイを選択する給紙トレイ選択画面を表示するステップとを含み、前記給紙トレイ選択画面は前記履歴情報を含む、制御方法。
【請求項２１】
画像形成装置と通信可能な端末装置を制御するための制御プログラムであって、
前記画像形成装置は、
用紙を格納する複数の用紙トレイと、
前記複数の用紙トレイから選択された一の用紙トレイである給紙トレイから搬送される用紙に関する物理量を、当該用紙の搬送中に検知する用紙センサーと、
記憶装置と、
第１の制御部とを含み、
前記第１の制御部は、
前記用紙センサーにより検知された前記物理量に基づいて、前記用紙の種類を判別する判別処理を実施し、
前記判別処理を実施する場合に、前記判別処理を実施しない場合よりも、前記用紙の搬送速度を低下させ、
前記記憶装置は、前記複数の用紙トレイのそれぞれに対応付けて、当該用紙トレイ内の用紙について前記判別処理が実施済みか未実施かについての履歴情報を格納し、
前記制御プログラムは、前記端末装置に、
前記複数の用紙トレイから前記給紙トレイを選択する給紙トレイ選択画面を表示させ、前記給紙トレイ選択画面において、前記履歴情報を表示させるステップを実行させる、制御プログラム。
【発明の詳細な説明】
【技術分野】
【０００１】
本開示は、画像形成システムに関し、より特定的には、画像形成システムが備える画像形成装置における用紙トレイの設定に関する。
【背景技術】
【０００２】
画像形成装置での印刷処理では、用紙の種類に応じて給紙速度や定着温度などのパラメーターを適切な値に設定することで、印刷結果の画質を向上させると共に、用紙の紙詰まりなどのトラブルを回避している。そのため、画像形成装置が適切に印刷処理を実行するためには、給紙トレイにセットされた用紙の種類が正しく設定されている必要がある。
【０００３】
しかし、ユーザにとって用紙の種類を判断するのは容易ではなく、誤った種類を設定してしまい、紙詰まりなどのトラブルが発生する不具合が生じていた。そこで、給紙トレイ内の用紙の種類を自動で判別する種類判別機能を備える画像形成装置が提供されている。
【０００４】
このような種類判別機能に関する技術の一例として、特開２００５−６２９１６号公報（特許文献１）は、「プリンタから給紙されるメディアと設定されたメディアの不整合に伴う印刷不良となる印刷を実行してしまうことを回避する」画像形成装置を開示している（［要約］の［課題］参照）。
【０００５】
また、特開２００６−８８５１３号公報（特許文献２）は、「ユーザにより確実に用紙属性を設定させ、ユーザが設定した用紙属性と給紙装置に収容された用紙の用紙属性との整合性を可能な限り保証する」画像形成装置を開示している（［要約］の［解決手段］参照）。
【先行技術文献】
【特許文献】
【０００６】
【特許文献１】特開２００５−６２９１６号公報
【特許文献２】特開２００６−８８５１３号公報
【発明の概要】
【発明が解決しようとする課題】
【０００７】
しかし、従来の画像形成装置では、給紙トレイに用紙がセットされた後、最初の給紙時に種類判別処理を実施するため、用紙セット後の最初の印刷ジョブにおいては、給紙速度を低速とする必要がある。そのため、用紙セット後の最初の印刷ジョブは、処理時間が長くなり、印刷を急いでいるユーザーのニーズに合わないといった不具合が生じていた。したがって、処理時間が長くかかる給紙トレイを、ユーザーが意図せずに選択してしまうことを防ぐ技術が必要とされている。
【０００８】
本開示は、上記問題点を解決するためになされたものであり、ある局面における目的は、処理時間が長くかかる給紙トレイを、ユーザーが意図せずに選択してしまうことを防ぐことである。
【課題を解決するための手段】
【０００９】
ある局面に従うと、画像形成装置と、画像形成装置と通信可能な端末装置とを備える画像形成システムが提供される。画像形成装置は、用紙を格納する複数の用紙トレイと、複数の用紙トレイから選択された一の用紙トレイである給紙トレイから搬送される用紙に関する物理量を、当該用紙の搬送中に検知する用紙センサーと、記憶装置と、第１の制御部とを含む。第１の制御部は、用紙センサーにより検知された物理量に基づいて、用紙の種類を判別する判別処理を実施し、判別処理を実施する場合に、判別処理を実施しない場合よりも、用紙の搬送速度を低下させる。記憶装置は、複数の用紙トレイのそれぞれに対応付けて、当該用紙トレイ内の用紙について判別処理が実施済みか未実施かについての履歴情報を格納する。端末装置は、第２の制御部と、表示装置とを備える。第２の制御部は、複数の用紙トレイから給紙トレイを選択する給紙トレイ選択画面を表示装置に表示させ、給紙トレイ選択画面において、履歴情報を表示させる。
【００１０】
好ましくは、端末装置には、画像形成装置に画像形成処理を指示するためのプリンタドライバがインストールされている。プリンタドライバが提供するユーザーインターフェイスは、給紙トレイ選択画面を含む。
【００１１】
好ましくは、端末装置には、ウェブブラウザがインストールされている。ウェブブラウザは、給紙トレイ選択画面を表示する。
【００１２】
好ましくは、端末装置には、画像形成装置を遠隔操作するためのリモートアプリケーションがインストールされている。リモートアプリケーションが提供するユーザーインターフェイスは、給紙トレイ選択画面を含む。
【００１３】
好ましくは、第２の制御部は、判別処理が未実施の用紙トレイが給紙トレイとして選択された場合、画像形成装置の画像形成処理にかかる時間が長くなることを示す警告を、表示装置に表示させる。
【００１４】
好ましくは、第１の制御部は、判別処理が実施済みの用紙トレイが給紙トレイとして選択された場合、当該給紙トレイから搬送される用紙について判別処理を実施しない。
【００１５】
好ましくは、第１の制御部は、用紙トレイが開閉された場合に、開閉された用紙トレイについての履歴情報をリセットする。
【００１６】
好ましくは、第１の制御部は、用紙トレイが開閉された場合に、開閉された用紙トレイについて履歴情報をリセットするか否かの選択を受け付ける。
【００１７】
好ましくは、記憶装置は、複数の用紙トレイのそれぞれに対応付けて、当該用紙トレイ内の用紙に関する１つ以上の設定値をさらに格納する。第２の制御部は、用紙に関する設定値を変更するための設定値変更画面を、表示装置に表示させる。設定値変更画面は、複数の用紙トレイの少なくとも一部の用紙トレイについての用紙トレイ情報と、当該用紙トレイについての履歴情報とをさらに含む。
【００１８】
好ましくは、設定値は、用紙トレイ内の用紙の種類を含む。第１の制御部は、設定値である用紙の種類に基づいて、用紙トレイ内の用紙に対する画像形成処理に関するパラメーターを決定する。
【００１９】
好ましくは、第２の制御部は、判別処理が実施済みの用紙トレイについて、設定値変更画面において用紙の種類が変更された場合、変更の前後におけるいずれの用紙の種類に基づいて画像形成処理に関するパラメーターを決定するかについての選択を受け付ける。
【００２０】
好ましくは、第２の制御部は、判別処理が実施済みの用紙トレイについて、設定値変更画面において用紙の種類が変更された場合、変更の後の用紙の種類に基づいて画像形成処理に関するパラメーターを決定するように、画像形成装置に制御指示を出力する。
【００２１】
好ましくは、端末装置は、給紙トレイから搬送される用紙について、判別処理を実施するか否かの選択を受付可能に構成されている。
【００２２】
好ましくは、記憶装置は、判別処理を実施するか否かについて選択された選択結果を、画像形成装置に登録されているログインＩＤ（Identification）ごとに記憶する。
【００２３】
好ましくは、第２の制御部は、判別処理を実施するか否かについて選択された選択結果を、給紙トレイ選択画面にさらに表示させる。
【００２４】
好ましくは、第２の制御部は、判別処理を実施するか否かについて選択された選択結果を、設定値変更画面にさらに表示させる。
【００２５】
他の局面に従うと、画像形成装置は、用紙を格納する複数の用紙トレイと、複数の用紙トレイから選択された一の用紙トレイである給紙トレイから搬送される用紙に関する物理量を、当該用紙の搬送中に検知する用紙センサーと、記憶装置と、表示装置と、制御部とを含む。制御部は、用紙センサーにより検知された物理量に基づいて、用紙の種類を判別する判別処理を実施し、判別処理を実施する場合に、判別処理を実施しない場合よりも、用紙の搬送速度を低下させる。記憶装置は、複数の用紙トレイのそれぞれに対応付けて、当該用紙トレイ内の用紙について判別処理が実施済みか未実施かについての履歴情報を格納する。制御部は、さらに、複数の用紙トレイから給紙トレイを選択する給紙トレイ選択画面を表示装置に表示させ、給紙トレイ選択画面において、履歴情報を表示させる。
【００２６】
好ましくは、表示装置は、画像形成装置への画像形成処理の指示を受け付けるための操作パネルである。制御部は、操作パネルに給紙トレイ選択画面を表示させる。
【００２７】
さらに他の局面に従うと、画像形成装置を含む画像形成システムの制御方法が提供される。画像形成装置は、用紙を格納する複数の用紙トレイを備える。制御方法は、複数の用紙トレイから選択された一の用紙トレイである給紙トレイから搬送される用紙に関する物理量を、当該用紙の搬送中に検知するステップと、検知された物理量に基づいて、用紙の種類を判別する判別処理を実施するステップと、判別処理を実施する場合に、判別処理を実施しない場合よりも、用紙の搬送速度を低下させるステップと、複数の用紙トレイのそれぞれに対応付けて、当該用紙トレイ内の用紙について判別処理が実施済みか未実施かについての履歴情報を、画像形成システムに格納するステップと、複数の用紙トレイから給紙トレイを選択する給紙トレイ選択画面を表示するステップとを含み、給紙トレイ選択画面は前記履歴情報を含む。
【００２８】
さらに他の局面に従うと、画像形成装置の制御方法が提供される。画像形成装置は、用紙を格納する複数の用紙トレイを備える。制御方法は、複数の用紙トレイから選択された一の用紙トレイである給紙トレイから搬送される用紙に関する物理量を当該用紙の搬送中に検知するステップと、検知された物理量に基づいて、用紙の種類を判別する判別処理を実施するステップと、判別処理を実施する場合に、判別処理を実施しない場合よりも、用紙の搬送速度を低下させるステップと、複数の用紙トレイのそれぞれに対応付けて、当該用紙トレイ内の用紙について判別処理が実施済みか未実施かについての履歴情報を、画像形成装置に格納するステップと、複数の用紙トレイから給紙トレイを選択する給紙トレイ選択画面を表示するステップとを含み、給紙トレイ選択画面は前記履歴情報を含む。
【００２９】
さらに他の局面に従うと、画像形成装置と通信可能な端末装置を制御するための制御プログラムが提供される。画像形成装置は、用紙を格納する複数の用紙トレイと、複数の用紙トレイから選択された一の用紙トレイである給紙トレイから搬送される用紙に関する物理量を、当該用紙の搬送中に検知する用紙センサーと、記憶装置と、第１の制御部とを含む。第１の制御部は、用紙センサーにより検知された物理量に基づいて、用紙の種類を判別する判別処理を実施し、判別処理を実施する場合に、判別処理を実施しない場合よりも、用紙の搬送速度を低下させる。記憶装置は、複数の用紙トレイのそれぞれに対応付けて、当該用紙トレイ内の用紙について判別処理が実施済みか未実施かについての履歴情報を格納する。制御プログラムは、端末装置に、複数の用紙トレイから給紙トレイを選択する給紙トレイ選択画面を表示させ、給紙トレイ選択画面において、履歴情報を表示させるステップを実行させる。
【００３０】
ある局面において、ユーザーは、処理時間が長くかかる給紙トレイを、意図せずに選択してしまうことを防ぐことができる。
【００３１】
上記および他の目的、特徴、局面および利点は、添付の図面と関連して理解される次の詳細な説明から明らかとなるであろう。
【図面の簡単な説明】
【００３２】
【図１】第１の実施形態に従う画像形成システムの構成を示す図である。
【図２】画像形成装置の内部構造の一例を示す図である。
【図３】画像形成装置の構成の一例を表すブロック図である。
【図４】端末装置の構成の一例を表すブロック図である。
【図５】画像形成システムの機能構成を示す図である。
【図６】トレイ情報テーブルのデータ構造を示す図である。
【図７】印刷設定画面を示す図である。
【図８】用紙トレイごとの設定値を表示する画面を示す図である。
【図９】用紙トレイごとの設定値変更画面を示す図である。
【図１０】参考例としての印刷設定画面を示す図である。
【図１１】用紙種類判別処理の手順を示すフローチャートである。
【図１２】用紙判別の履歴情報のリセット処理の手順を示すフローチャートである。
【図１３】第２の実施の形態におけるトレイ情報テーブルのデータ構造を示す図である。
【図１４】第２の実施の形態における印刷設定画面を示す図である。
【図１５】第２の実施の形態における用紙トレイごとの設定値を表示する画面を示す図である。
【図１６】第２の実施の形態における用紙トレイごとの設定値変更画面を示す図である。
【図１７】第２の実施の形態に係る用紙種類判別処理の手順を示すフローチャートである。
【図１８】第３の実施の形態における画像形成システムの機能構成を示す図である。
【図１９】第３の実施の形態におけるトレイ別設定変更画面を示す図である。
【図２０】第３の実施の形態における判別条件テーブルを示す図である。
【図２１】用紙種類の変更処理の手順を示すフローチャートである。
【発明を実施するための形態】
【００３３】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００３４】
＜第１の実施の形態＞
［１．画像形成システム１０］
図１を参照して、実施の形態に係る画像形成システム１０の構成を説明する。図１は、実施の形態に従う画像形成システム１０の構成を示す図である。
【００３５】
実施形態に従う画像形成システム１０は、画像形成装置１００と、端末装置２００と、サーバー３００とを備える。画像形成装置１００は、端末装置２００と通信可能に構成される。端末装置２００は、ネットワーク４００を介してサーバー３００と通信可能に構成される。画像形成装置１００は、ディスプレイを含む操作パネル１１０を有する。
【００３６】
端末装置２００は、いわゆるデスクトップ型コンピューターとして構成され、画像形成装置１００と連携するための制御プログラム（以下、アプリケーションともいう）を含む。端末装置２００の制御装置２０１は、これらアプリケーションを読み込んで実行することにより、画像形成装置１００に対して、各種指示を実行する。
【００３７】
［２．画像形成装置１００］
図２を参照して、画像形成装置１００の内部構造について説明する。図２は、画像形成装置１００の内部構造の一例を示す図である。
【００３８】
画像形成装置１００は、カラープリンタ、モノクロプリンタ、またはファックスであってもよいし、モノクロプリンタ、カラープリンタおよびファックスの複合機（いわゆるＭＦＰ（Multi  Functional  Peripheral））であってもよい。
【００３９】
画像形成装置１００は、画像読取部としてのスキャナー２０と、画像形成部５２５を含むプリンター２５とを備える。スキャナー２０は、カバー２１と、原稿台２２と、原稿トレイ２３と、ＡＤＦ（Auto  Document  Feeder）２４とを備える。カバー２１の一端は、原稿台２２に固定されており、カバー２１は、当該一端を支点として開閉可能に構成されている。
【００４０】
画像形成装置１００のユーザーは、カバー２１を開くことで、原稿を原稿台２２にセットすることができる。画像形成装置１００は、原稿が原稿台２２にセットされた状態でスキャン指示を受け付けると、原稿台２２にセットされた原稿のスキャンを開始する。また、画像形成装置１００は、原稿が原稿トレイ２３にセットされた状態でスキャン指示を受け付けると、ＡＤＦ２４によって１枚ずつ自動的に原稿を読み取る。
【００４１】
プリンター２５は、用紙トレイ６０Ａ〜６０Ｄと、給紙部としての複数の給紙ローラー６１と、複数の用紙の搬送ローラー６２と、タイミングローラー８７と、タイミングセンサ―８８と、切替爪８９と、反転ローラー６５と、画像形成装置１００を制御するための制御装置１０１（第１の制御部）と、スキャナー２０によって読み取られた画像を用紙に印刷するための画像形成部５２５とを含む。
【００４２】
用紙トレイ６０Ａ〜６０Ｄは、用紙がセットされるトレイである。以下、総称するときは、用紙トレイ６０Ａ〜６０Ｄの１つを代表して用紙トレイ６０ともいう。用紙トレイ６０は、画像形成装置１００から脱着可能に構成されている。ユーザーは、画像形成装置１００から用紙トレイ６０を外すことで用紙トレイ６０に用紙をセットすることができる。収納される用紙のサイズおよび種類は、用紙トレイ６０Ａ〜６０Ｄ間で異なっていてもよいし、同じであってもよい。用紙トレイ６０の開閉は、開閉センサー６３によって検知される。
【００４３】
給紙ローラー６１は、給紙クラッチ（図示しない）を介してモーター（図示しない）に接続されている。当該モーターは、制御装置１０１によって制御される。制御装置１０１は、ユーザーから印刷指示を受けたことに基づいて、モーターを駆動する。モーターは、給紙クラッチを介して給紙ローラー６１を回転する。これにより、用紙は用紙トレイ６０から搬送経路４１に１枚ずつ送り出される。
【００４４】
搬送ローラー６２は、用紙トレイ６０から送り出された用紙を搬送するように、搬送経路４１内に複数設けられている。搬送ローラー６２は、モーター（図示しない）に接続されている。制御装置１０１は、当該モーターを駆動することで搬送ローラー６２を回転し、搬送経路４１に沿って用紙を搬送する。用紙は、画像形成部５２５に搬送される。
【００４５】
手差しトレイ６４は、手差し用の用紙がセットされるトレイである。ユーザーは、手差し用の用紙として、長方形などの定型用紙の他に、長方形以外の非定型用紙をセットすることもできる。
【００４６】
画像形成部５２５は、印刷対象の画像パターンに従ってトナー像を形成し、当該トナー像を用紙に印刷する。タイミングローラー８７は、タイミングセンサ―８８による用紙の検知結果に基づいて、画像形成部５２５内を搬送されるトナー像の位置に合わせて用紙の搬送を調整する。その結果、画像形成部５２５で形成されたトナー像が、用紙の適切な位置に印刷される。
【００４７】
タイミングローラー８７の手前には、用紙センサー９０が配置されている。用紙センサー９０は、たとえば光学センサーで構成され、搬送経路４１内を搬送される用紙の坪量、色彩などの用紙の種類を検知する。または、用紙センサ−９０としては、超音波センサー、静電センサー、または、画像センサーなど、他の物理量を検知する公知のセンサーを用いることもできる。
【００４８】
制御装置１０１は、画像形成装置１００が片面印刷の指示を受け付けている場合に、切替爪８９を駆動し、用紙をトレー４８に排紙する。他方、制御装置１０１は、画像形成装置１００が両面印刷の指示を受け付けている場合に、切替爪８９を駆動し、用紙を反転ローラー６５に搬送する。その後、用紙は搬送ローラー６２に送られ、再び画像形成部５２５を通過する。トナー像が用紙の裏面に印刷され、用紙はトレー４８に排紙される。
【００４９】
［３．ハードウェア構成］
（３．１．画像形成装置１００）
図３は、実施形態に従う画像形成装置１００の構成の一例を表すブロック図である。図３を参照して、画像形成装置１００は、制御装置１０１（第１の制御部に相当）と、ＲＡＭ（Random  Access  Memory）５１５と、ＲＯＭ（Read  Only  Memory）５２０と、画像形成部５２５と、記憶装置１２０と、操作パネル１１０と、ＶＲＡＭ（Video  Random  Access  Memory）５４５と、スキャナー２０と、無線インターフェイス（Ｉ／Ｆ）５５５とを有する。
【００５０】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００５１】
制御装置１０１は、ＲＯＭ５２０に格納される制御プログラム５２２を読み込んで実行することにより、画像形成装置１００の動作を制御する。ＲＡＭ５１５は、制御装置１０１が制御プログラム５２２を実行する際のワーキングメモリとして機能する。画像形成部５２５は、スキャナー２０で生成された原稿データ、または無線インターフェイス（Ｉ／Ｆ）５５５を介して入力された画像データに基づいて、記録媒体に画像を形成する。
【００５２】
記憶装置１２０は、不揮発性メモリによって構成される。または、記憶装置１２０は、たとえば、ハードディスク、ＳＳＤ（Solid  State  Drive）などであってもよく、内蔵式、外付け式のいずれであってもよい。操作パネル１１０は、ディスプレイ５３５と、タッチパネル５４０とを含む。操作パネル１１０は、タッチパネル５４０によってユーザーに選択された位置（座標）の情報を制御装置１０１に出力する。ＶＲＡＭ５４５は、ディスプレイ５３５に表示される内容を保持するためのメモリとして機能する。
【００５３】
無線Ｉ／Ｆ５５５は、後述する端末装置２００が有する無線Ｉ／Ｆ６５０と通信可能に構成される。無線Ｉ／Ｆ５５５と無線Ｉ／Ｆ６５０とは、例えば、ＷｉＦｉ（Wireless  Fidelity）、Ｂｌｕｅｔｏｏｔｈ（登録商標）、ＮＦＣ（Near  Field  Communication）等の規格に従い通信し得る。
【００５４】
（３．２．端末装置２００）
図４は、実施形態に従う端末装置２００の構成の一例を表すブロック図である。端末装置２００は、制御装置２０１（第２の制御部に相当）と、ＲＯＭ６２０と、記憶装置６３０と、表示装置としてのディスプレイ２１０と、ＶＲＡＭ６４０と、無線Ｉ／Ｆ６５０と、通信Ｉ／Ｆ６５５とを有する。
【００５５】
制御装置２０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００５６】
ＲＯＭ６２０は、制御プログラム６２２を記憶している。ある局面において、制御プログラム６２２は、ネットワーク４００を介してサーバー３００からダウンロードされ得る。他の局面において、制御プログラム６２２は、ＵＳＢメモリ等の外部記憶装置からＲＯＭ６２０に格納され得る。制御装置２０１は、制御プログラム６２２を読み込んで実行することにより、画像形成装置１００と連携する。
【００５７】
制御プログラム５２２および６２２は、単体のプログラムとしてではなく、モジュールとしての任意のプログラムの一部に組み込まれて提供されてもよい。この場合、本実施の形態に従う制御処理は、任意のプログラムと協働して実現される。このような一部のモジュールを含まないプログラムであっても、本実施の形態に従う制御プログラム５２２または６２２の趣旨を逸脱するものではない。
【００５８】
記憶装置６３０は、不揮発性メモリによって構成される。または、記憶装置６３０は、たとえば、ハードディスク、ＳＳＤ（Solid  State  Drive）などであってもよく、内蔵式、外付け式のいずれであってもよい。
【００５９】
ＶＲＡＭ６４０は、ディスプレイ２１０に表示される内容を保持するためのメモリとして機能する。通信Ｉ／Ｆ６５５は、ネットワーク４００に接続するためのインターフェイスとして機能する。端末装置２００は、通信Ｉ／Ｆ６５５を用いてサーバー３００と通信する。
【００６０】
ある局面において、画像形成装置１００は、端末装置２００の制御プログラム６２２からの指示に従って、スキャナー２０によって原稿データを生成する。この場合、画像形成装置１００は、生成した原稿データを無線Ｉ／Ｆ５５５を介して端末装置２００に送信する。端末装置２００は、受信した原稿データを、通信Ｉ／Ｆ６５５を介してサーバー３００（クラウド）に送信する。このような端末装置２００は、例えば、スマートフォン、タブレット、ファブレット、およびラップトップ型のコンピュータ等の他の形態によっても実現され得る。
【００６１】
［４．機能構成］
図５を参照して、本実施形態に係る画像形成システム１０の機能構成を説明する。図５は、本実施形態に係る画像形成システム１０の機能構成を示す図である。
【００６２】
図５に示すように、画像形成システム１０は、画像形成装置１００と、端末装置２００とを備える。画像形成装置１００は、制御装置１０１と、搬送ローラー６２と、用紙センサー９０と、記憶装置１２０とを含む。端末装置２００は、制御装置２０１と、ディスプレイ２１０とを含む。
【００６３】
制御装置１０１は、搬送制御部１０３と、判別部１０５と、更新部１０７とを含む。搬送制御部１０３は、画像形成装置１００内に形成された用紙の搬送経路４１に設けられた搬送ローラー６２を制御する。判別部１０５は、用紙センサー９０による用紙の検知結果に基づいて、用紙の種類を判別する。判別部１０５による用紙の種類が判別される際、搬送制御部１０３は、搬送ローラー６２を制御して、用紙の搬送速度を低下させる。たとえば、搬送制御部１０３は、用紙の搬送速度を３００ｍｍ／ｓから１５０ｍｍ／ｓへと低下させる。
【００６４】
更新部１０７は、判別部１０５による判別処理が行われたか否かの履歴情報を、記憶装置１２０に格納されているトレイ情報テーブルＤ１へ登録する。トレイ情報テーブルＤ１の詳細は後述する。
【００６５】
制御装置２０１は、表示制御部２０３と、取得部２０５とを含む。取得部２０５は、画像形成装置１００の記憶装置１２０から、トレイ情報テーブルＤ１を取得する。表示制御部２０３は、取得部２０５が取得したトレイ情報テーブルＤ１に含まれる情報を、ディスプレイ２１０上に表示される給紙トレイ選択画面に表示させる。
【００６６】
［５．データ構造］
図６を参照して、トレイ情報テーブルＤ１のデータ構造を説明する。図６は、トレイ情報テーブルＤ１のデータ構造を示す図である。
【００６７】
図６に示すように、トレイ情報テーブルＤ１は、用紙トレイ名３１と、用紙サイズ３２と、方向３３と、用紙種類３４と、用紙判別３５とを含む。
【００６８】
用紙トレイ名３１は、用紙トレイ６０Ａ〜６０Ｄのそれぞれに対応付けて割り当てられた給紙トレイの名称を示す。すなわち、用紙トレイ６０Ａ〜６０Ｄが、それぞれ用紙トレイ１〜４に対応している。用紙サイズ３２は、用紙トレイ６０Ａ〜６０Ｄのそれぞれに格納される用紙の大きさを示す。方向３３は、用紙トレイ６０Ａ〜６０Ｄのそれぞれに格納される用紙の搬送方向（すなわち、用紙上に画像が形成される方向）を示す。
【００６９】
用紙種類３４は、用紙トレイ６０Ａ〜６０Ｄのそれぞれに格納される用紙の種類を示す。本実施形態では、用紙の種類として、用紙の坪量と相関のある用紙の厚みに関する種類を示す。
【００７０】
用紙判別３５は、用紙トレイ６０Ａ〜６０Ｄのそれぞれに格納される用紙について、判別部１０５による用紙種類の判別処理が行われたか否かについての履歴情報を示す。用紙判別３５は、用紙トレイ内の用紙について用紙種類の判別処理が実施されたことを意味する「済」と、実施されていないことを意味する「未」の値を取り得る。
【００７１】
判別部１０５による用紙種類の判別処理が行われると、更新部１０７は、判別処理が行われた用紙が格納されていた用紙トレイについて、用紙判別３５を「未」から「済」へと更新する。一方、ユーザーによる用紙トレイの開閉が開閉センサー６３によって検知されると、更新部１０７は開閉された用紙トレイについて、用紙判別３５を「済」から「未」へと更新する。以下において、用紙判別３５を「済」から「未」へと更新することを、判別処理の履歴情報を「リセットする」ともいう。
【００７２】
［６．画面表示］
（６．１．給紙トレイ選択画面）
図７〜図９を参照して、本実施形態における表示装置に表示される画面を説明する。図７は、本実施形態における印刷設定画面を示す図である。図８は、本実施形態における用紙トレイごとの設定値を示す画面を示す図である。図９は、本実施形態における用紙トレイごとの設定値の変更画面を示す図である。
【００７３】
図７に示す印刷設定画面Ｓａ１は、端末装置２００にインストールされているプリンタドライバによって提供されるユーザーインターフェイスである。ここでいうプリンタドライバとは、画像形成装置１００に画像形成処理を指示するためのプログラムを意味する。端末装置２００の制御装置２０１がプリンタドライバを実行することにより、印刷設定画面Ｓａ１がディスプレイ２１０に表示される。
【００７４】
図７に示すように、印刷設定画面Ｓａ１は、印刷条件の基本設定を行うための基本設定タブ５１を有している。ユーザーが基本設定タブ５１を選択すると、印刷処理における用紙に対する各種設定をすることができる。
【００７５】
ユーザーが基本設定タブ５１を選択した状態で、給紙トレイ５２のリストボタン５２ａを選択すると、複数の用紙トレイの中から給紙トレイを選択するための給紙トレイ選択画面５２ｂがリスト表示される。ここで、給紙トレイとは、印刷処理に使用される用紙が搬送される用紙トレイのことをいう。
【００７６】
給紙トレイ選択画面５２ｂには、複数の用紙トレイごとに、トレイ情報テーブルＤ１における用紙トレイ名３１と、用紙判別３５とが表示されている。そのため、ユーザーは、複数の用紙トレイの中から給紙トレイを選択する際に、どの用紙トレイについて用紙種類の判別処理が実施されているかを識別できる。
【００７７】
用紙種類の判別処理においては、用紙の搬送速度が低下されるため、印刷処理に時間がかかる。そこで、このように用紙種類の判別処理が未実施の用紙トレイを明示することで、急いで印刷したいユーザが意図せず時間のかかる用紙トレイを選択することを防ぐことができる。ここで、ユーザが用紙種類の判別処理が未実施の用紙トレイを選択した場合、表示制御部２０３は、「この用紙トレイを利用する場合、印刷に時間がかかります。」などといった所定の警告メッセージを、ディスプレイ２１０に表示してもよい。
【００７８】
印刷設定画面Ｓａ１は、さらにトレイ別設定ボタン５３を含む。ユーザーが、トレイ別設定ボタン５３を選択すると、図８に示すトレイ別設定画面Ｓｂ１が表示される。
【００７９】
図８に示すように、トレイ別設定画面Ｓｂ１は、用紙トレイごとの設定値情報５５と、設定変更ボタン５６とを含む。
【００８０】
設定値情報５５は、用紙トレイ内の用紙に関してユーザーが設定可能な情報である設定値を含む。図８に示す例では、設定値として、用紙サイズおよび方向が表示されている。ここで、ユーザーが設定値情報５５の１つのトレイを選択し（図８に示す例ではトレイ１を選択している）、設定変更ボタン５６を選択すると、図９に示すトレイ別設定変更画面Ｓｃ１が表示される。
【００８１】
図９に示すように、トレイ別設定変更画面Ｓｃ１は、トレイ別設定画面Ｓｂ１において表示されていた設定値についてリストボタン７０を表示する。ユーザーがリストボタン７０を選択すると、ユーザーが設定値として選択可能な候補である候補値が表示される。ユーザーは、設定値ごとに候補値を選択してＯＫボタン７２を選択することにより、設定値を変更することができる。選択した候補値への変更をキャンセルする場合には、ユーザーは、キャンセルボタン７１を押下する。
【００８２】
（６．２．参考例）
図１０を参照して、参考例としての印刷設定画面Ｓａ′を説明する。図１０は、参考例としての印刷設定画面Ｓａ′を示す図である。
【００８３】
図１０に示すように、参考例としての印刷設定画面Ｓａ′における給紙トレイ選択画面５２ｂ′には、用紙トレイごとに用紙種類の判別処理が行われたか否かの履歴情報が表示されていない。そのため、ユーザーは、意図せずに判別処理が未実施のトレイを選択してしまい、印刷処理に時間がかかってしまうという不具合が発生するおそれがある。
【００８４】
これに対して、第１の実施形態における印刷設定画面Ｓａ１は、図７に示すように、給紙トレイ選択画面５２ｂに、用紙トレイごとに用紙種類の判別処理が行われたか否かの履歴情報が表示されている。そのため、ユーザーは、複数の用紙トレイの中から給紙トレイを選択する際に、どの用紙トレイについて用紙種類の判別処理が実施されているかを識別できる。その結果、ユーザーが意図せずに判別処理が未実施のトレイを選択し、印刷処理に時間がかかってしまうといった不具合を防ぐことができる。
【００８５】
［７．処理手順］
図１１および図１２を参照して、第１の実施の形態に係る用紙種類の判別処理の手順を説明する。図１１は、用紙種類の判別処理の手順を示すフローチャートである。図１２は、判別処理の履歴情報をリセットする処理の手順を示すフローチャートである。当該処理は、たとえば制御装置１０１として機能するＣＰＵが所与のプログラムを実行することによって実現される。
【００８６】
図１１に示すように、ステップＳ１１１０において、制御装置１０１は、ユーザーの操作に基づく印刷指示を受信する。制御装置１０１は、ステップＳ１１２０へ処理を進める。
【００８７】
ステップＳ１１２０において、制御装置１０１は、トレイ情報テーブルＤ１を参照して、給紙トレイのトレイ情報を取得する。制御装置１０１は、ステップＳ１１３０へ処理を進める。
【００８８】
ステップＳ１１３０において、制御装置１０１は、取得したトレイ情報に基づいて、給紙トレイ内の用紙についての用紙種類の判別処理が実施済みか否かを判定する。用紙種類の判別処理が実施済みである場合（ステップＳ１１３０においてＹＥＳ）、制御装置１０１は、ステップＳ１１７０へ処理を進める。そうでない場合（ステップＳ１１３０においてＮＯ）、制御装置１０１は、ステップＳ１１４０へ処理を進める。
【００８９】
ステップＳ１１４０において、制御装置１０１は、判別部１０５として、用紙センサー９０の検知結果に基づいて、用紙種類の判別処理を実施する。搬送制御部１０３は、用紙種類の判別処理が実施されている間、搬送ローラー６２を制御して、判別処理を実施しない場合よりも、用紙の搬送速度を低下させる。制御装置１０１は、ステップＳ１１５０へ処理を進める。
【００９０】
ステップＳ１１５０において、制御装置１０１は、実施した判別処理の結果に基づいて、トレイ情報テーブルＤ１における給紙トレイの用紙種類３４を更新する。制御装置１０１は、ステップＳ１１６０へ処理を進める。
【００９１】
ステップＳ１１６０において、制御装置１０１は、給紙トレイについてトレイ情報テーブルＤ１の用紙判別３５を「済」に更新する。制御装置１０１は、ステップＳ１１７０へ処理を進める。
【００９２】
ステップＳ１１７０において、制御装置１０１は、トレイ情報テーブルの用紙種類３４に基づいて、印刷処理を実行する。制御装置１０１は、処理を終了する。
【００９３】
図１２を参照して、ステップＳ１２１０において、制御装置１０１は、用紙トレイ内に設けられた開閉センサー６３の検知結果に基づいて、用紙トレイの開閉を検知する。制御装置１０１は、ステップＳ１２２０へ処理を進める。
【００９４】
ステップＳ１２２０において、制御装置１０１は、トレイ情報テーブルＤ１を参照し、開閉された用紙トレイの用紙判別３５を取得する。制御装置１０１は、ステップＳ１２３０へ処理を進める。
【００９５】
ステップＳ１２３０において、制御装置１０１は、取得した用紙判別３５に基づいて、開閉された用紙トレイ内の用紙について、用紙判別処理が実施されているか否かを判定する。用紙判別処理が実施されている場合（ステップＳ１２３０においてＹＥＳ）、制御装置１０１は、ステップＳ１２４０へ処理を進める。そうでない場合（ステップＳ１２３０においてＮＯ）、制御装置１０１は処理を終了する。
【００９６】
ステップＳ１２４０において、制御装置１０１は、トレイ情報テーブルＤ１における開閉された用紙トレイの用紙判別３５を「済」から「未」へ更新する。制御装置１０１は、処理を終了する。
【００９７】
［８．小括］
以上のようにして、本実施形態にかかる画像形成システム１０では、端末装置２００は、画像形成装置１００の備える複数の用紙トレイから給紙トレイを選択する給紙トレイ選択画面５２ｂをディスプレイ２１０に表示させ、当該給紙トレイ選択画面５２ｂにおいて、用紙トレイ内の用紙について判別処理が実施されたか否かの履歴情報を表示させる。
【００９８】
上記構成とすることにより、ユーザーは、給紙トレイとする用紙トレイを選択する際に、どの用紙トレイについて用紙種類の判別処理が実施されているかを識別することが可能となる。その結果、意図せずに用紙種類の判別処理が実施されていない用紙トレイを選択してしまい、印刷処理に時間がかかってしまうという不具合を防ぐことができる。
【００９９】
＜第２の実施の形態＞
［１．概要］
以下、第２の実施の形態について説明する。第２の実施の形態では、用紙種類の判別処理を実施するか否かをユーザーが選択可能である点で、第１の実施の形態と異なる。なお、本実施形態に係る画像形成装置は、前述の実施の形態に係る画像形成装置１００が備えるハードウェア構成および機能構成と同様の構成によって実現される。したがって、それらの説明は繰り返さない。
【０１００】
［２．詳細］
図１３を参照して、第２の実施の形態に係るトレイ情報テーブルＤ２のデータ構造を説明する。図１３は、トレイ情報テーブルＤ２のデータ構造を示す図である。
【０１０１】
図１３に示すように、第２の実施の形態に係るトレイ情報テーブルＤ２は、トレイ情報テーブルＤ１が含む情報に加えて、判別処理設定３６をさらに含む。
【０１０２】
判別処理設定３６は、用紙トレイ内の用紙に対して、用紙種類の判別処理を行うか否かの設定値である。当該設定値は、後述するように、ユーザーが設定可能に構成されている。
【０１０３】
図１４〜図１６を参照して、第２の実施の形態においてディスプレイ２１０に表示される画面を説明する。図１４は、第２の実施の形態における印刷設定画面を示す図である。図１５は、第２の実施の形態における用紙トレイごとの設定値を示す画面を示す図である。図１６は、第２の実施の形態における用紙トレイごとの設定値変更画面を示す図である。
【０１０４】
図１４に示すように、印刷設定画面Ｓａ２における給紙トレイ選択画面１５２ｂには、トレイ情報テーブルＤ２における用紙判別３５と合わせて、判別処理設定３６が表示されている。ユーザーは、各用紙トレイについて判別処理を行うか否かの設定値を、給紙トレイの選択時に確認することができる。
【０１０５】
図１５に示すように、トレイ別設定画面Ｓｂ２における設定値情報５５にも、判別処理設定が追加されている。ここで、第１の実施の形態と同様に、ユーザーが設定値情報５５の１つのトレイを選択し、設定変更ボタン５６を選択すると、図１６に示すトレイ別設定変更画面Ｓｃ２が表示される。
【０１０６】
図１６に示すように、第２の実施の形態に係るトレイ別設定変更画面Ｓｃ２は、判別処理設定についてもリストボタン７０を表示する。ユーザーが判別処理設定のリストボタン７０を選択すると、図１６に示すように、判別処理設定の候補値が表示される。
【０１０７】
本実施の形態では、ユーザーは判別動作設定の候補値として、「自動」、「する」、「しない」の３つの値のうちのいずれか１つを選択し得る。ユーザーが「自動」を選択すると、制御装置１０１の判別部１０５は、用紙種類の判別処理が行われていない用紙トレイから搬送される用紙について、用紙種類の判別処理を行う。
【０１０８】
ユーザーが「する」を選択すると、判別部１０５は、給紙トレイから搬送されるすべての用紙について、用紙種類の判別処理を実施する。ユーザーが「しない」を選択すると、判別部１０５は、給紙トレイから搬送されるすべての用紙について、用紙種類の判別処理を実施しない。ユーザーが判別処理設定を変更後、ＯＫボタン７２を選択することにより、変更後の判別処理設定の内容でトレイ情報テーブルＤ２が更新される。
【０１０９】
図１７を参照して、第２の実施の形態に係る用紙種類の判別処理の手順を説明する。図１７は、第２の実施の形態に係る用紙種類の判別処理の手順を示すフローチャートである。当該処理は、たとえば制御装置１０１として機能するＣＰＵが所与のプログラムを実行することによって実現される。なお、第１の実施の形態における処理手順と同様の処理手順については、同じステップ番号を付し、説明を繰り返さない。
【０１１０】
図１７に示すように、ステップＳ１１２０の後、制御装置１０１は、ステップＳ１７２５へ処理を進める。
【０１１１】
ステップＳ１７２５において、制御装置１０１は、トレイ情報テーブルＤ２を参照して、判別処理設定３６の設定値に応じて処理を分岐する。判別処理設定３６が「自動」の場合、制御装置１０１は、ステップＳ１１３０へ処理を進める。判別処理設定３６が「する」の場合、制御装置１０１は、ステップＳ１１４０へ処理を進める。判別処理設定３６が「しない」の場合、制御装置１０１は、ステップＳ１１７０へ処理を進める。
【０１１２】
［３．小括］
以上のようにして、第２の実施の形態に係る画像形成システム１０では、用紙種類の判別処理を実施するか否かをユーザーが選択可能に構成されている。
【０１１３】
上記構成とすることにより、ユーザーの選択に応じて用紙種類の判別処理を実施できるため、ユーザーのニーズに合わせた形で用紙種類の判別処理を実施することができ、ユーザーの利便性が向上する。具体的には、たとえば、ユーザーが用紙の種類を認識しており、用紙種類の判別処理を必要としない場合には、当該判別処理を省くといった選択をすることが可能となる。
【０１１４】
＜第３の実施の形態＞
［１．概要］
以下、第３の実施の形態について説明する。第３の実施の形態では、用紙トレイ内の用紙について用紙種類の判別処理が実施された後に、ユーザーが、判別された用紙種類を変更可能である点で、第１の実施の形態と異なる。なお、本実施形態においては、前述の実施の形態に係る画像形成装置１００が備える構成と同様の構成には、画像形成装置１００の符号と同一の符号を付してある。したがって、それらの説明は繰り返さない。
【０１１５】
［２．詳細］
図１８を参照して、第３の実施の形態に係る画像形成システム１１の機能構成を説明する。図１８は、第３の実施の形態に係る画像形成システム１１の機能構成を示す図である。
【０１１６】
第３の実施の形態に係る端末装置２００は、第１の実施の形態における制御装置２０１およびディスプレイ２１０に代えて、制御装置２３１およびディスプレイ２３０を備える。制御装置２３１は、制御装置２０１が含む構成に加えて、さらに、変更部２０７を含む。ディスプレイ２３０は、ディスプレイ２１０が含む構成に加えて、さらに、変更受付部２３５を含む。
【０１１７】
変更受付部２３５は、用紙種類の判別処理が実施され、格納されている用紙の種類が判別された用紙トレイについて、当該判別された用紙種類の変更を受け付ける。変更部２０７は、変更受付部２３５が受け付けた用紙種類の変更内容に基づいて、画像形成装置１００の記憶装置１２０に記憶されている判別条件テーブルを更新する。判別条件テーブルの詳細は後述する。
【０１１８】
図１９を参照して、第３の実施の形態に係るトレイ別設定変更画面について説明する。図１９は、第３の実施の形態に係るトレイ別設定変更画面を示す図である。
【０１１９】
図１９（Ａ）に示すように、第３の実施の形態に係るトレイ別設定変更画面Ｓｃ３では、用紙種類についてもリストボタン７０が設けられており、変更受付部２３５としての機能を備える。制御装置１０１は、設定変更された用紙の種類に基づいて、用紙トレイ内の用紙の搬送速度や定着温度などの画像形成処理に関するパラメーターを決定する。ユーザーが用紙種類のリストボタン７０を選択すると、選択可能な複数の候補値が表示される。
【０１２０】
図１９（Ｂ）には、ユーザーが選択可能な用紙種類の候補値が示されている。ユーザーが用紙種類を変更し、ＯＫボタン７２を選択すると、変更受付部２３５は、変更された内容を変更部２０７に出力する。変更部２０７は、変更された内容に基づき、判別条件テーブルＴ１を更新する。
【０１２１】
図２０を参照して、判別条件テーブルＴ１について説明する。図２０は、判別条件テーブルＴ１を示す図である。
【０１２２】
図２０に示すように、判別条件テーブルＴ１は、用紙種類７５と、坪量７６とを含む。判別条件テーブルＴ１では、所定の範囲の坪量と用紙の種類とが対応付けられている。制御装置１０１の判別部１０５は、用紙センサー９０が検知した坪量に基づいて、判別条件テーブルＴ１を参照して、対応する用紙の種類を判別する。
【０１２３】
ここで、同じ坪量の用紙種類が複数存在する場合、判別部１０５は、正しく用紙種類を判別することができない場合がある。たとえば、坪量が共に１００ｇ／ｍ２である厚紙１および厚紙１（光沢紙）の２つの用紙種類が存在し、給紙トレイ内の用紙が厚紙１（光沢紙）であった場合、判別部１０５は、用紙センサー９０が検知した坪量に基づいて、用紙の種類は厚紙１であると誤って判別してしまうおそれがある。
【０１２４】
そこで、本実施の形態においては、判別処理によって判別された用紙の種類を、ユーザーが変更可能に構成されている。このようにすることで、特殊な種類の用紙を日常的に利用することが多いユーザーは、用紙種類の判別処理で用紙の種類を誤って判別されることを防ぐことができる。
【０１２５】
図２０（Ａ）には、トレイ別設定変更画面Ｓｃ３において、用紙種類として厚紙１が表示されている場合に、ユーザーが厚紙１を厚紙１（光沢紙）へ変更した例を示す。変更部２０７は、図２０（Ｂ）に示すように、変更された内容に基づき、判別条件テーブルＴ１を更新する。制御装置１０１は、以降の処理において、変更された判別条件テーブルを参照して印刷処理を行う。
【０１２６】
図２１を参照して、第３の実施の形態に係る用紙種類の変更処理の手順を説明する。図２１は、用紙種類の変更処理の手順を示すフローチャートである。当該処理は、たとえば制御装置１０１として機能するＣＰＵが所与のプログラムを実行することによって実現される。
【０１２７】
ステップＳ２１１０において、制御装置１０１は、給紙トレイ内の用紙について、用紙種類の判別処理を実施する。制御装置１０１は、ステップＳ２１２０へ処理を進める。
【０１２８】
ステップＳ２１２０において、制御装置１０１は、記憶装置１２０の判別条件テーブルＴ１を参照し、ユーザーからの指示に基づいて、用紙種類が変更されたか否かを判定する。用紙種類が変更された場合（ステップＳ２１２０においてＹＥＳ）、制御装置１０１は、ステップＳ２１３０へ処理を進める。そうでない場合（ステップＳ２１２０においてＮＯ）、制御装置１０１は、ステップＳ２１５０へ処理を進める。
【０１２９】
ステップＳ２１３０において、制御装置１０１は、ユーザーの選択に基づいて、変更された用紙種類で印刷を実行するか否かを判定する。変更された用紙種類で印刷を実行する場合（ステップＳ２１３０においてＹＥＳ）、制御装置１０１は、ステップＳ２１４０へ処理をすすめる。そうでない場合（ステップＳ２１３０においてＮＯ）、制御装置１０１は、ステップＳ２１５０へ処理を進める。
【０１３０】
ステップＳ２１４０において、制御装置１０１は、変更された用紙種類で印刷を実行する。制御装置１０１は、ステップＳ２１６０へ処理を進める。
【０１３１】
一方、ステップＳ２１５０において、制御装置１０１は、判別処理で判別された用紙種類で印刷を実行する。制御装置１０１は、処理を終了する。
【０１３２】
ステップＳ２１６０において、制御装置１０１は、ユーザーからの指示に基づいて、用紙種類の変更を保存するか否かを判定する。用紙種類の変更を保存する場合（ステップＳ２１６０においてＹＥＳ）、制御装置１０１は、ステップＳ２１７０へ処理を進める。そうでない場合（ステップＳ２１６０においてＮＯ）制御装置１０１は、ステップＳ２１８０へ処理を進める。
【０１３３】
ステップＳ２１７０において、制御装置１０１は、判別条件テーブルＴ１における用紙種類の変更を保存する。その結果、以降の印刷処理において、制御装置１０１は、変更後の用紙の種類に基づいて、印刷処理を実行することとなる。制御装置１０１は、処理を終了する。
【０１３４】
ステップＳ２１８０において、制御装置１０１は、判別条件テーブルＴ１における用紙種類の変更を取り消す。制御装置１０１は、処理を終了する。
【０１３５】
［３．小括］
以上のようにして、第３の実施の形態にかかる画像形成システム１１では、給紙トレイ内の用紙について用紙種類が判別された後に、ユーザーの選択により、判別された用紙種類を変更した上で、印刷処理を実行することができる。
【０１３６】
上記構成とすることにより、用紙種類の判別処理で判別された用紙種類について、ユーザーの選択でより精緻な調整を行うことが可能となり、ユーザーの利便性が向上する。
【０１３７】
＜他の実施形態＞
なお、本開示に係る技術的思想の適用範囲は、上記実施形態に限定されない。たとえば、記憶装置１２０は、画像形成装置１００に登録されているログインＩＤごとに、第２の実施の形態における判別動作設定の設定値を格納してもよい。このようにすることで、他のユーザーによる設定変更の影響を受けず、ユーザーが所望の判別動作を定常的に実現することができる。
【０１３８】
また、給紙トレイの開閉を検知した制御装置１０１が、判別処理の履歴情報をリセットするか、リセットしないかをユーザに選択させてもよい。このようにすることで、ユーザが、現在トレイ内にセットされている用紙と同じ用紙をセットした場合に、判別処理の履歴情報が毎回リセットされ、直後の印刷ジョブで用紙種類の判別処理が実行され、印刷処理に時間がかかることを防ぐことができる。
【０１３９】
また、給紙トレイ選択画面は、端末装置にインストールされたウェブブラウザによって表示されてもよいし、端末装置にインストールされた画像形成装置を遠隔操作するためのリモートアプリケーションが提供するユーザーインターフェイスであってもよい。
【０１４０】
また、画像形成装置単体を画像形成システムとして捉え、本開示に係る技術的思想を適用してもよい。この場合、表示装置は画像形成装置の備える操作パネルとなる。制御装置は、操作パネルに給紙トレイ選択画面を表示させる。これら他の実施の形態においても、上記実施の形態と同様の効果を得ることができる。
【０１４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４２】
１０，１１  画像形成システム、２０  スキャナー、２１  カバー、２２  原稿台、２３  原稿トレイ、２５  プリンター、３１  用紙トレイ名、３２  用紙サイズ、３３  方向、３４，７５  用紙種類、３５  用紙判別、３６  判別処理設定、４１  搬送経路、４８  トレー、５１  基本設定タブ、５２  給紙トレイ、５２ａ，７０，７４  リストボタン、５２ｂ，１５２ｂ  給紙トレイ選択画面、５３  トレイ別設定ボタン、５５  設定値情報、５６  設定変更ボタン、６１  給紙ローラー、６２  搬送ローラー、６３  開閉センサー、６４  手差しトレイ、６５  反転ローラー、７１  キャンセルボタン、７２  ボタン、７６  坪量、８７  タイミングローラー、８９  切替爪、９０  用紙センサー、１００  画像形成装置、１０１，２０１，２３１  制御装置、１０３  搬送制御部、１０５  判別部、１０７  更新部、１１０  操作パネル、１２０，６３０  記憶装置、２００  端末装置、２０３  表示制御部、２０５  取得部、２０７  変更部、２１０，２３０，５３５  ディスプレイ、２３５  変更受付部、３００  サーバー、４００  ネットワーク、５１５，５４５，６４０  ＲＡＭ、５２０，６２０  ＲＯＭ、５２２，６２２  制御プログラム、５２５  画像形成部、５４０  タッチパネル。
【図１】
2019117525.tif 000003
【図２】
2019117525.tif 000004
【図３】
2019117525.tif 000005
【図４】
2019117525.tif 000006
【図５】
2019117525.tif 000007
【図６】
2019117525.tif 000008
【図７】
2019117525.tif 000009
【図８】
2019117525.tif 000010
【図９】
2019117525.tif 000011
【図１０】
2019117525.tif 000012
【図１１】
2019117525.tif 000013
【図１２】
2019117525.tif 000014
【図１３】
2019117525.tif 000015
【図１４】
2019117525.tif 000016
【図１５】
2019117525.tif 000017
【図１６】
2019117525.tif 000018
【図１７】
2019117525.tif 000019
【図１８】
2019117525.tif 000020
【図１９】
2019117525.tif 000021
【図２０】
2019117525.tif 000022
【図２１】
2019117525.tif 000023